(57)【要約】【課題】  ゴルフをする際に利き腕の反対側の手にゴルフ手袋をはめていたが、ゴルフ手袋の代用品として手の平部の形状に類似した形状に裁断したシート本体を手の平部に直接粘着し、素手に近い感覚でゴルフをすることができるゴルフ用品を提供する。【解決手段】  人工皮革、合成皮革、塩化ビニル、化学繊維等の柔軟性に優れた丈夫なシートの片面に粘着剤をコーティングし、前記シートの片面に粘着剤をコーティングした面にはくり紙を付着させて三層構造のシート本体を構成し、そのシート本体を手の平部の形状に類似した形状にしたシート本体を手の平部に直接取付けることを特徴とするゴルフ用品。【選択図】図１
2010214072.tif 000002
【特許請求の範囲】
【請求項１】
人工皮革、合成皮革、塩化ビニル、化学繊維等の柔軟性に優れた丈夫なシートの片面に粘着剤をコーティングし、前記シートの片面に粘着剤をコーティングした面にはくり紙を付着させて三層構造のシート本体を構成し、そのシート本体を手の平部の形状に類似した形状にしたシート本体を手の平部に直接取付けることを特徴とするゴルフ用品。
【請求項２】
親指部を切除した形状のシート本体と分離した親指部の一片の形状にしたシート本体を一組にしたことを特徴とする請求項１のゴルフ用品。
【請求項３】
人差指部と親指部を切除した形状のシート本体と分離した親指部の一片の形状にしたシート本体を一組にしたことを特徴とする請求項１のゴルフ用品。
【発明の詳細な説明】
【技術分野】
【０００１】  本発明は、ゴルフをする際に利き腕の反対側の手にゴルフ手袋をはめていたが、ゴルフ手袋の代用品として手の平部の形状に類似した形状に裁断したシート本体を手の平部に直接粘着し、素手に近い感覚でゴルフをすることができるゴルフ用品に関するものである。
【背景技術】
【０００２】  従来、ゴルフをする際はパターを使用する時以外はボールを打った際の衝撃の軽減及び豆防止等から手を保護するために、殆ど利き腕の反対側の手にゴルフ手袋をはめてゴルフをしていた。また、余程寒い時には両手に手袋をはめてプレーすることも稀にあった。
【発明の概要】
【発明が解決しようとする課題】
【０００３】  そのために、次のような問題点があった。
（イ）素材によっては、柔軟性、伸縮性、厚み等を欠き手になじまないゴルフ手袋があ  った。
（ロ）ゴルフ手袋の場合はサイズに関して、手の周り及び指周りの大きさ、各指の長さ  、丈の長さ等が人によって異なりフィットしない箇所が多々あった。
（ハ）雨や汗等でゴルフ手袋の内外面が濡れた時は手の平部と手袋の内面が滑りやすく  なり、また、手袋の外面とグリップ面が滑りやすくなり、スイングする安定感を大きく  損ない一層力を入れて握るため、余分の力がはいり打球の方向性も安定しなかった。
また、使用後に濡れた天然皮革のゴルフ手袋の手入れは大変難しかった。
（ニ）ゴルフ手袋をはめて打数が増えるに従って、各指袋がねじれを生じて縫合箇所が  指の腹部付近にねじれてグリップを握ると違和感が生じていた。
（ホ）ゴルフ手袋をはめている手は常に圧迫感があり、特にグリップを握った際には圧        迫感が最高点に達していた。
（ヘ）ゴルフ手袋の着脱動作が面倒であった。
本発明は、以上の問題点を解決するためになされたものである。
【課題を解決するための手段】
【０００４】  人工皮革、合成皮革、塩化ビニル、化学繊維等の柔軟性に優れた丈夫なシートの片面に粘着剤をコーティングし、前記シートの片面に粘着剤をコーティングした面にはくり紙を付着させて三層構造のシート本体を構成し、そのシート本体を手の平部の形状に類似した形状にしたシート本体を手の平部に直接取付ける。以上を特徴とするゴルフ用品である。
【発明の効果】
【０００５】  本発明は、従来のゴルフ手袋の形状とは全く異なるが打球時の衝撃及び豆防止等から手を保護することは同じであるが、従来は袋状であったが本発明は手の平部の要所にシート本体を直接粘着し、手の平部と一体化させて平面状になっているため、ゴルフ手袋の代用品として使用することによって、さらに、以下の点で効果がある。
従来のゴルフ手袋で問題になっていた素材で柔軟性、伸縮性及び厚み等で手になじまないものもあったが皆無になった。
また、サイズに関しても手の周り及び各指周りの大きさ、各指の長さ、丈の長さで各自のフィット感等の問題点も発生せず、そのため、従来のゴルフ手袋のように手の周りを１ｃｍ刻みのサイズを造る必要がなく、２ｃｍ刻みの手の周りに相当するサイズで造れば手の大きさが異なっても対応できる。
また、雨や汗で濡れた時でも手の平部にシート本体を粘着し一体化しているため、シート本体がずれることなく、グリップをしっかり安定してつかむため滑りが激減され、スイングの際も安定感を損なわないため余分な力を加えることなく打球の方向性が安定したプレーができ、終了すればシート本体をはがし廃棄処分すれば、後の手入れは不要である。
そして、各指部にシート本体を粘着しているため、ねじれは生じず全面に無数の細かい通気口を設けたことによって、汗ばんだり汗によってシート本体がはがれることはない。
また、平面状であるため圧迫感は発生せず、指の曲げ伸ばしにも全く違和感が無い。
また、プレー中にゴルフ手袋の着脱動作をしていたが、その動作が不要である。
【図面の簡単な説明】
【０００６】
【図１】本発明の平面図
【図２】本発明の図１のＡ−Ａ´の拡大断面図
【図３】本発明の実施例１を示す平面図  （ａ）は親指部の一片のシート  （ｂ）は親指部を切除したシート
【図４】本発明の実施例２を示す平面図  （ａ）は親指部の一片のシート  （ｂ）は人差指部と親指部を切除したシート
【発明を実施するための形態】
【０００７】  以下、本発明の実施の形態について説明する。
（イ）柔軟性に優れた丈夫なシート（１）の片面に粘着剤（７）をコーティングする。
シート（１）は表面が滑りにくい人工皮革、合成皮革、塩化ビニル、化学繊維        、天然ゴム、天然皮革等の素材が望ましい。
シート（１）の厚みは０．１ｍｍ〜０．３ｍｍが望ましい。
シート（１）の全面に無数の細かい通気口を設けることが望ましい。
粘着剤（７）は肌に悪い影響を与えず、粘着力が強いことが望ましい。
（ロ）粘着剤（７）をコーティングした面にはくり紙（８）を付着させて、三層構造の        シート本体（９）が構成されている。
（ハ）シート本体（９）を小指部（２）、薬指部（３）、中指部（４）、人差指部（５        ）、親指部（６）を設けた手の平部に類似した形状に裁断する。
本発明は以上の構成からなるもので、これを使用するときは、利き腕の反対側の手の平部の汚れを洗い流し水気を拭き取り、シート本体（９）のはくり紙（８）をはがして手の平部の各指股の付け根とシート本体（９）の各指部の股の付け根を合わせて、各指部に沿って粘着した後、残りの箇所を粘着してはがれないように強く押さえて粘着する。
手の平部に粘着したシート本体（９）をゴルフ手袋の代用品としてゴルフをし、プレー終了後シート本体（９）をはがして廃棄処分する。
【実施例１】
【０００８】  また、図３で示すように、親指部（６）を切除した形状にシート本体（９）を裁断し、別工程で親指部の一片（１０）の形状にシート本体（９）を裁断し、一組として手の平部に粘着する。
【実施例２】
【０００９】  また、図４で示すように、人差指部（５）と親指部（６）を切除した形状にシート本体（９）を裁断し、別工程で親指部の一片（１０）の形状にシート本体（９）を裁断し、一組として手の平部に粘着する。
【符号の説明】
【００１０】      １    シート
２    小指部
３    薬指部
４    中指部
５    人差指部
６    親指部
７    粘着剤
８    はくり紙
９    シート本体
１０    親指部の一片
【図１】
2010214072.tif 000003
【図２】
2010214072.tif 000004
【図３】
2010214072.tif 000005
【図４】
2010214072.tif 000006